(57)【特許請求の範囲】
【請求項１】
島の地上部分より大きい気密ドームにより、前記島と前記気密ドームとの間に隙間がありかつ前記気密ドームの下縁が海中に位置する状態で前記島を覆い、
前記気密ドームの下縁と海底との間に隙間がある状態で前記気密ドームを固定し、
前記気密ドーム内の気圧を下げることにより前記気密ドーム内の海面を前記島の上まで上昇させ、前記島の上にサンゴを自然に増殖させることにより陸地を造成することを特徴とする、陸地造成方法。
【請求項２】
前記気密ドームは断面が円弧状であることを特徴とする、請求項１に記載の陸地造成方法。
【請求項３】
海底岩の地上となる部分より大きい気密ドームにより、前記海底岩と前記気密ドームとの間に隙間がありかつ前記気密ドームの下縁が海中に位置する状態で海底岩を覆い、
前記気密ドームの下縁と海底との間に隙間がある状態で前記気密ドームを固定し、
前記気密ドーム内の気圧を上げることにより前記気密ドーム内の海面を下降させ、前記海底岩を海面上に表出させることにより陸地面積を増加することを特徴とする、陸地造成方法。
【発明の詳細な説明】
【技術分野】
【０００１】
本発明は、島などの陸地を造成する方法に関するものである。
【背景技術】
【０００２】
小島、例えば沖ノ鳥島のような小島は、波力による侵食や温暖化による海面上昇によって海岸が減少しており、島そのものが存亡の危機に晒されている。このため、海岸近傍の海底に多数のコンクリートブロックを設置することにより押し寄せる波力を緩衝し、海岸が浸食される問題を解消しようとする方法も実施されている。
【０００３】
例えば、特許文献１には、コンクリートブロック本体の表面に自然石を植設した自然石ブロックを地盤面に敷設することにより、自然の景観を損なうことなく自然の生態系を保持し、流速や波力に対して安定した状態を保持しうる自然石ブロック工法が開示されている。
【０００４】
また、サンゴ増殖用のコンクリートブロックを海底に設置し、サンゴを増殖することにより海岸が減少する問題を解決しようとする方法も実施されている。例えば、特許文献２には、サンゴを固着する固着面を有するサンゴ増殖用ブロックを用意し、固着面に生きたサンゴを接着剤により固着し、海岸の近傍の海底に積層設置してサンゴを増殖させることにより、海岸の長さを自然造成により拡大させる海岸自然造成方法が開示されている。
【先行技術文献】
【特許文献】
【０００５】
【特許文献１】特開平７−３３１６３６号公報
【特許文献２】特開２００８−０１７７８９公報
【発明の概要】
【発明が解決しようとする課題】
【０００６】
しかしながら、上述の自然石ブロック工法やサンゴ増殖方法は、次のような問題点があった。
【０００７】
自然石ブロックの機能そのものは、押し寄せる波を緩衝する一般的なコンクリートブロックの域を出ない。また、サンゴは海の中でしか増殖できない為、海の中に施す従来のサンゴ増殖方法は海面より上にサンゴを増殖する事が出来ない。したがって、海岸を減少させる他の要因である温暖化による海面上昇等に対する有効な解決策とはならず、島自体の存亡の危機を根本的に解決することができない。
【０００８】
ここで、海洋法に関する国際連合条約（1982年締結、1996年正式発効。国連海洋法条約）では、島とは、自然に形成された陸地であって、水に囲まれ、高潮時においても水面上にあるものをいうと定義されており、上述の自然石ブロック工法やサンゴ増殖方法では島を造成することはできない。
【０００９】
本発明は、以上の問題点に鑑み、自然の営みにより陸地を造成する方法を提供することを目的としている。
【課題を解決するための手段】
【００１０】
上記目的を達成するため、本発明の陸地造成方法においては、島の地上部分より大きい気密ドームにより、島と気密ドームとの間に隙間がありかつ気密ドームの下縁が海中に位置する状態で島を覆い、気密ドームの下縁と海底との間に隙間がある状態で気密ドームを固定し、気密ドーム内の気圧を下げることにより気密ドーム内の海面を島の上まで上昇させ、島の上にサンゴを自然に増殖させることにより陸地を造成する。ここで、固定とは、ボルト等により動かないように止めることのみならず、ワイヤーやスプリングにより柔軟性を持たせて止めることを含む。
【００１１】
また、本発明の陸地造成方法において、気密ドームは断面が円弧状であることが望ましい。
【００１２】
さらに、本発明の陸地造成方法においては、海底岩の地上となる部分より大きい気密ドームにより、海底岩と気密ドームとの間に隙間がありかつ気密ドームの下縁が海中に位置する状態で海底岩を覆い、気密ドームの下縁と海底との間に隙間がある状態で気密ドームを固定し、気密ドーム内の気圧を上げることにより気密ドーム内の海面を下降させ、海底岩を海面上に表出させることにより陸地面積を増加する。
【発明の効果】
【００１３】
本発明によれば、気密ドーム内の気圧を下げて気密ドーム内の海面を島の上まで上昇させることで、島の上にサンゴを自然に増殖させることができるから、自然の営みにより陸地を造成ことができる。
【００１４】
気密ドームは断面が円弧状である場合には、気圧の低下に伴い気密ドームにかかる大気圧に対する強度を確保することができる。
【００１５】
さらに、本発明によれば、気密ドーム内の気圧を上げることにより気密ドーム内の海面を下降させ、海底岩を海面上に表出させることにより陸地面積を増加することができるから、自然の営みにより陸地を造成ことができる。
【図面の簡単な説明】
【００１６】
【図１】本発明の陸地造成方法の実施形態を示す概略断面図である。
【図２】本発明の第二の陸地造成方法の実施形態を示す概略断面図である。
【発明を実施するための形態】
【００１７】
以下、図面に基づいて本発明の実施形態を詳細に説明する。
【００１８】
図１は本発明の陸地造成方法の実施形態を示す概略断面図である。図１（ａ）に示すように、島１は、地上部分１ａにおいて海面２より上に表出している。
【００１９】
この状態で、本実施形態の陸地造成方法においては、図１（ｂ）に示すように、島の地上部分１ａより大きい気密ドーム３により、島１と気密ドーム３との間に隙間ｓ１がありかつ気密ドーム３の下縁３ａが海中すなわち海面２より下に位置する状態で島１を覆う。ここで、気密ドーム３は断面が円弧状であるから、気圧の低下に伴い気密ドーム３にかかる大気圧に対する強度を確保することができる。また、気密ドーム３はポリカーボネートなどの軽くて強度のある透明素材を使用することが好ましいが、他の素材により形成しても良い。
【００２０】
続いて、気密ドーム３の下縁３ａと海底１ｂとの間に隙間ｓ２がある状態で、気密ドーム３の下縁３ａにボルト（図示省略）で固定された杭４を海底１ｂに打ち込み、気密ドーム３を固定する。ここで、杭４はステンレスなどで構成することができる。図においては断面図であるため左右の二本のみ図示しているが、実際には気密ドーム３の下縁３ａに沿って等間隔に設置されている。
【００２１】
さらに、気密ドーム３に設けられたポンプ５を作動させ、気密ドーム３内の気圧を下げる。すると、図１（ｂ）に矢印で示すように、パスカルの原理により海水が気密ドーム３内に流入し、気密ドーム３内の海面２ａが島１の地上部分１ａの上まで上昇する。
【００２２】
以上の状態で放置することにより、島１の上にサンゴ６が自然に増殖する。
【００２３】
サンゴ６が増殖した後、図１（ｃ）に示すようにポンプ５を開放し、気密ドーム３内の気圧を気密ドーム３外の気圧と同等にすると、気密ドーム３内の海面２ａが気密ドーム３外の海面２と同じ高さまで下がる。
【００２４】
以上の状態で気密ドーム３を撤去しても石灰化したサンゴが陸地を形成するから、島１の頂上の海抜が当初の状態より高いことになる。また図１（ｄ）に示すように地球温暖化等により海面２が当初の海面２ａより上昇した場合であっても、サンゴ６の分だけ島の頂上の海抜が上昇しているから、当初の地上部分１ａが水没してしまった場合でも島自体が水没することはない。以上のように、自然の営みにより陸地を造成することができる。また、以上のステップを繰り返すことにより、海面がさらに上昇した場合であっても島を延命することができる。
【００２５】
図２は本発明の第二の陸地造成方法の実施形態を示す概念図である。図２（ａ）に示すように、海底岩１１は、頂上部分１１ａにおいて海面２より上に表出していない。
【００２６】
この状態で、本実施形態の陸地造成方法においては、図２（ｂ）に示すように、海底岩１１のうち島の地上となる予定の頂上部分１１ａより大きい気密ドーム１３により、海底岩１１と気密ドーム１３との間に隙間ｓ１１がありかつ気密ドーム１３の下縁１３ａが海中すなわち海面２より下に位置する状態で海底岩１１を覆う。ここで、気密ドーム１３は断面が円弧状であるから、気圧の低下に伴い気密ドーム１３にかかる大気圧に対する強度を確保することができる。また、気密ドーム１３はポリカーボネートなどの軽くて強度のある透明素材を使用することが好ましいが、他の素材により形成しても良い。
【００２７】
続いて、気密ドーム１３の下縁１３ａと海底１１ｂとの間に隙間ｓ１２がある状態で、気密ドーム１３の下縁１３ａにボルト（図示省略）で固定された杭１４を海底１１ｂに打ち込み、気密ドーム１３を固定する。
【００２８】
さらに、気密ドーム１３に設けられたポンプ１５を作動させ、気密ドーム１３内の気圧を上げる。すると、図２（ｂ）に矢印で示すように、パスカルの原理により気密ドーム１３内の海面が海底岩１１の頂上部分１１ａの下まで下降する。
【００２９】
以上のように海底岩を海面上に表出させることにより、島を造成し、また陸地面積を増加することができるから、自然の営みにより陸地を造成することができる。
【００３０】
本実施形態においては気密ドーム１３を撤去してしまうと島が消失してしまうことになるが、海面１２がさらに上昇した場合であっても、気密ドーム１３内の気圧をさらに上げることにより、島を延命することができる。
【００３１】
本発明はその趣旨を逸脱しない範囲において様々な形態で実施することができる。例えば、上述した気密ドーム内の圧力を上げ下げする方法は、ポンプによるものに限らず、化学反応や海水への溶解を利用したり、蒸気が冷却されることによる体積の減少等、様々な既知の方法を用いることができる。また、気密ドームを海底に固定するには、ボルト等により動かないように止めるのみならず、ワイヤーやスプリングにより柔軟性を持たせて止めてもよく、また海底ではなく島の海面上に表出している部分に固定しても良い。気密ドームは断面円弧状でなくても使用でき、温度調節などのために表面に遮熱フィルムや太陽光電池を貼ってもよい。
【００３２】
以上述べたように、本発明の陸地造成方法は、島の地上部分より大きい気密ドームにより、島と気密ドームとの間に隙間がありかつ気密ドームの下縁が海中に位置する状態で島を覆い、気密ドームの下縁と海底との間に隙間がある状態で気密ドームを固定し、気密ドーム内の気圧を下げることにより気密ドーム内の海面を島の上まで上昇させ、島の上にサンゴを自然に増殖させることにより陸地を造成するものであり、気密ドーム内の気圧を下げて気密ドーム内の海面を島の上まで上昇させることで、島の上にサンゴを自然に増殖させることができるから、自然の営みにより陸地を造成ことができる。また、海底岩の地上となる部分より大きい気密ドームにより、海底岩と気密ドームとの間に隙間がありかつ気密ドームの下縁が海中に位置する状態で海底岩を覆い、気密ドームの下縁と海底との間に隙間がある状態で気密ドームを固定し、気密ドーム内の気圧を上げることにより気密ドーム内の海面を下降させ、海底岩を海面上に表出させることにより陸地面積を増加する場合も、気密ドーム内の気圧を上げることにより気密ドーム内の海面を下降させ、海底岩を海面上に表出させることにより陸地面積を増加することができるから、自然の営みにより陸地を造成ことができる。
【符号の説明】
【００３３】
１  島
２，１２  海面
３，１３  気密ドーム
４，１４  杭
５，１５  ポンプ
１１  海底岩
【要約】
【課題】  自然の営みにより陸地を造成する方法を提供する。
【解決手段】  島の地上部分１ａより大きい気密ドーム３により、島１と気密ドーム３との間に隙間ｓ１がありかつ気密ドーム３の下縁３ａが海中すなわち海面２より下に位置する状態で島１を覆う。続いて、気密ドーム３の下縁３ａと海底１ｂとの間に隙間ｓ２がある状態で、気密ドーム３の下縁３ａにボルト（図示省略）で固定された杭４を海底１ｂに打ち込み、気密ドーム３を固定する。さらに、気密ドーム３に設けられたポンプ５を作動させ、気密ドーム３内の気圧を下げる。すると、パスカルの原理により海水が気密ドーム３内に流入し、気密ドーム３内の海面２ａが島１の地上部分１ａの上まで上昇する。以上の状態で放置することにより、島１の上にサンゴ６が自然に増殖する。
【選択図】  図１【図１】
0004606515.tif 000002
【図２】
0004606515.tif 000003